(57)【特許請求の範囲】
【請求項１】
内部に雌ネジを備え、下地に嵌入させる筒状のハウジング部と、
前記雌ネジへの螺合によって前記ハウジング部の内部に挿入がなされるインナー部と、が備えられ、
前記インナー部に、前記螺合挿入によって外広がりに開脚して前記下地と係合する係合部が備えられ、
前記ハウジング部の内部の前記雌ネジに前記インナー部が螺合挿入された状態で、固定対象物を固定するための締結具が前記ハウジング部の内部の前記雌ネジに螺合挿入され、前記固定対象物が固定されるアンカー。
【請求項２】
前記インナー部に、前記ハウジング部の内周の前記雌ネジに螺合するネジ部と、前記ネジ部に対して相対回動可能に係合される開脚部と、が備えられ、
前記ハウジング部と前記開脚部との相対回動を防止する回り止め機構が備えられている請求項１に記載のアンカー。
【請求項３】
下地に嵌入させる筒状のハウジング部と、
前記ハウジング部の内部に螺合挿入がなされるインナー部と、が備えられ、
前記インナー部に、前記螺合挿入によって外広がりに開脚して前記下地と係合する係合部が備えられ、
前記インナー部に、前記ハウジング部の内周に螺合するネジ部と、前記ネジ部に対して相対回動可能に係合される開脚部と、が備えられ、
前記ハウジング部と前記開脚部との相対回動を防止する回り止め機構が備えられ、
前記ネジ部及び前記開脚部のうちいずれか一方に、拡径された拡頭部が備えられ、
前記ネジ部及び前記開脚部のうちいずれか他方に、前記拡頭部を相対回動可能な状態で包み込む凹部が形成されているアンカー。
【請求項４】
前記凹部は、前記インナー部の螺進軸心の側方において開放され、前記拡頭部を側方から挿入可能に構成されている請求項３に記載のアンカー。
【発明の詳細な説明】
【技術分野】
【０００１】
本発明は、下地に対する固定用のアンカーに関する。
【背景技術】
【０００２】
例えば、特許文献１、２に、下地（例えば特許文献１では「取り付け板」）に固定対象物（例えば特許文献１では「取り付け金物」）を固定するためのアンカーが記載されている。このアンカーは、ハウジング部（例えば特許文献１では「スリーブ」）と、ハウジング部の内周に螺合されたインナー部（例えば特許文献１では「ボルト」）と、を備えている。
【０００３】
このようなアンカーが下地に固定される仕組みを説明する。下地に形成された孔部にハウジング部を嵌入し、引き続き、インナー部をハウジング部に対して螺進させる。そうすると、インナー部の螺進力に基づいて、ハウジング部における先端側部分に対して引き抜き側への力が作用し、この先端側部分が座屈して、拡開部が形成される。この結果、この拡開部とハウジング部における下地表面側に形成された外フランジ部とによって下地を挟み込むこととなり、アンカーが下地に固定される。
【先行技術文献】
【特許文献】
【０００４】
【特許文献１】特許第４６４３９４６号公報（図２）
【特許文献２】特許第５５０１８５３号公報（図４）
【発明の概要】
【発明が解決しようとする課題】
【０００５】
しかし、このようなアンカーでは、上述したように、アンカーの施工の際、ハウジング部に、インナー部の螺進力に基づく引き抜き力が作用する。このため、アンカー施工中は、この引き抜き力に対抗するべく、ハウジング部をある程度強い力で保持する必要がある。例えば、下地がＡＬＣのようなセメント下地の場合は、下地に穿孔する孔部の内径をハウジングの外径と略同じにしておき、ハウジング部をハンマー等の打ち込み工具によって強く打ち込むことで、ハウジング部を強く下地に保持する工法が採用されている。
【０００６】
このような工法であるため、ハンマー等による打ち込み作業時に、その打撃力によって下地が欠損したり、ひび割れが発生したりすることがあった。また、既存建物の改修工事においては、その打撃音が、居住者への騒音となることがあった。
【０００７】
上記実情に鑑み、どのような下地であっても、施工時に、下地の欠損等や騒音が発生しにくいアンカーの提供が望まれていた。
【課題を解決するための手段】
【０００８】
本発明のアンカーは、内部に雌ネジを備え、下地に嵌入させる筒状のハウジング部と、前記雌ネジへの螺合によって前記ハウジング部の内部に挿入がなされるインナー部と、が備えられ、前記インナー部に、前記螺合挿入によって外広がりに開脚して前記下地と係合する係合部が備えられ、前記ハウジング部の内部の前記雌ネジに前記インナー部が螺合挿入された状態で、固定対象物を固定するための締結具が前記ハウジング部の内部の前記雌ネジに螺合挿入され、前記固定対象物が固定されるものである。
【０００９】
本発明によると、インナー部自身に係合部が備えられ、この係合部を下地内に推進させる必要があるため、インナー部は、ハウジング部に強く押し込みながら、螺合挿入されることとなる。このため、ハウジング部におけるインナー部との螺合箇所を介して、ハウジング部にその押し込み力が作用し、インナー部の螺進力に基づく引き抜き力が相殺されるか、少なくとも緩和される。つまり、本発明であれば、ハウジング部を下地に強く保持する必要がなくハウジング部をコンクリート下地等に嵌入させる際に、ハウジング部を下地の孔部に軽く打ち込むだけで良い。したがって、施工時に、下地にかかる負荷が小さくなって下地の欠損が減少し、また、騒音の軽減も図られる。
【００１０】
上記構成において、前記インナー部に、前記ハウジング部の内周の前記雌ネジに螺合するネジ部と、前記ネジ部に対して相対回動可能に係合される開脚部と、が備えられ、前記ハウジング部と前記開脚部との相対回動を防止する回り止め機構が備えられていると好適である。
【００１１】
本構成によれば、ハウジング部に対してインナー部を螺進してゆく際に、ネジ部は、ハウジング部の内周に対して相対回動しながら下地側へ推進するが、開脚部は、回り止め機構の作用により、ハウジング部に対して相対回動せずに下地側へ推進する。このため、ハウジング部に対するインナー部の螺進を進めてゆくと、開脚部における係合部の突端部が突き刺さるように下地に係合する。これにより、開脚部の突端部によって下地が過度に掻き乱されることがなく、下地にインナー部を強固に固定できる。
【００１２】
本発明のアンカーは、下地に嵌入させる筒状のハウジング部と、前記ハウジング部の内部に螺合挿入がなされるインナー部と、が備えられ、前記インナー部に、前記螺合挿入によって外広がりに開脚して前記下地と係合する係合部が備えられ、前記インナー部に、前記ハウジング部の内周に螺合するネジ部と、前記ネジ部に対して相対回動可能に係合される開脚部と、が備えられ、前記ハウジング部と前記開脚部との相対回動を防止する回り止め機構が備えられ、前記ネジ部及び前記開脚部のうちいずれか一方に、拡径された拡頭部が備えられ、前記ネジ部及び前記開脚部のうちいずれか他方に、前記拡頭部を相対回動可能な状態で包み込む凹部が形成されていると好適である。
【００１３】
本発明によると、インナー部自身に係合部が備えられ、この係合部を下地内に推進させる必要があるため、インナー部は、ハウジング部に強く押し込みながら、螺合挿入されることとなる。このため、ハウジング部におけるインナー部との螺合箇所を介して、ハウジング部にその押し込み力が作用し、インナー部の螺進力に基づく引き抜き力が相殺されるか、少なくとも緩和される。つまり、本発明であれば、ハウジング部を下地に強く保持する必要がなくハウジング部をコンクリート下地等に嵌入させる際に、ハウジング部を下地の孔部に軽く打ち込むだけで良い。したがって、施工時に、下地にかかる負荷が小さくなって下地の欠損が減少し、また、騒音の軽減も図られる。
また、ハウジング部に対してインナー部を螺進してゆく際に、ネジ部は、ハウジング部の内周に対して相対回動しながら下地側へ推進するが、開脚部は、回り止め機構の作用により、ハウジング部に対して相対回動せずに下地側へ推進する。このため、ハウジング部に対するインナー部の螺進を進めてゆくと、開脚部における係合部の突端部が突き刺さるように下地に係合する。これにより、開脚部の突端部によって下地が過度に掻き乱されることがなく、下地にインナー部を強固に固定できる。
また、ハウジング部にインナー部を螺進させる際、拡頭部と凹部とが互いに押し合うことにより、ネジ部から開脚部に推進力が伝達される。
そして、ハウジング部からインナー部を螺退させる際、凹部と拡頭部とが互いに引っ掛かるので、ネジ部とともに開脚部をハウジング部から引き抜くことができる。これにより、固定対象物の交換時等において、ハウジング部を撤去せずに再利用することができる。
しかも、凹部に拡頭部を予め嵌め込んでおくことにより、ネジ部と開脚部とを一体的に取り扱うことが可能になるので、ネジ部や開脚部の紛失を防止できる。
【００１４】
上記構成において、前記凹部は、前記インナー部の螺進軸心の側方において開放され、前記拡頭部を側方から挿入可能に構成されていると好適である。
【００１５】
本構成によれば、拡頭部をインナー部の螺進軸心の側方から凹部に挿入するだけで、ネジ部と開脚部との係合を容易に行うことができる。また、逆に、拡頭部をインナー部の螺進軸心の側方に向けて凹部から脱出させるだけで、ネジ部と開脚部との係合解除を容易に行うことができる。このように、本構成であれば、組み立てし易いアンカーとすることができる。
【図面の簡単な説明】
【００１６】
【図１】アンカーの分解斜視図である。
【図２】施工手順に含まれる一工程を示す断面図であり、設置穴の形成について示す図である。
【図３】施工手順に含まれる一工程を示す断面図であり、設置穴の清掃について示す図である。
【図４】施工手順に含まれる一工程を示す断面図であり、ハウジング部の設置について示す図である。
【図５】施工手順に含まれる一工程を示す断面図であり、インナー部の設置について示す図である。
【図６】施工手順に含まれる一工程を示す断面図であり、ハウジング部に対するインナー部の螺合挿入を示す図である。
【図７】施工手順に含まれる一工程を示す断面図であり、シート固定具及び防水シートの設置について説明する図である。
【図８】別実施形態のアンカーを示す側面図である。
【図９】別実施形態のアンカーを示す断面図である。
【発明を実施するための形態】
【００１７】
以下、本発明の一例である実施形態について説明する。
〔アンカーの構成について〕
図７に示されるように、アンカーＡは、防水シート１を固定するためのシート固定具２等の固定対象物を下地３に固定するために用いられる。防水シート１は、防水性を有する合成樹脂製シート（例えば、軟質塩化ビニル）によって構成されている。本実施形態では、固定対象物を固定するための下地３が、例えば、セメントを素材に含むセメント下地の一種であるＡＬＣ（Ａｕｔｏｃｌａｖｅｄ  Ｌｉｇｈｔｗｅｉｇｈｔ  ａｅｒａｔｅｄ  Ｃｏｎｃｒｅｔｅ；オートクレーブ養生した軽量気泡コンクリート）のパネル材であるとして説明する。そして、アンカーＡは、下地３の厚み内に埋設され、開脚固定されるように施工されるものとする。
【００１８】
図１に示されるように、アンカーＡには、下地３に嵌入させるハウジング部４と、ハウジング部４の内部にネジ軸心Ｘ（「螺進軸心」に相当）周りに螺合挿入がなされるインナー部５と、が備えられている。
【００１９】
ハウジング部４は、金属製であり、円筒状に形成されている。ハウジング部４には、長手方向の一端部に形成される底部６と、ハウジング部４の内周に形成される雌ネジ７と、底部６の近傍に形成される複数（例えば４つ）の案内孔８と、ハウジング部４の内周に形成される案内溝９と、が備えられている。
【００２０】
ハウジング部４における底部６と反対側の他端部には、外部に向けて開口される開口部１０が形成されている。雌ネジ７は、開口部１０からハウジング部４の全長の半分を少し超える箇所に至る長さに形成されている。なお、ハウジング部４の内周における雌ネジ７以外の箇所にはネジは切られていない。案内孔８は、夫々、雌ネジ７と底部６の間における底部６の近傍に形成され、各案内孔８は、ハウジング部４の周方向に分散配置されている。また、案内孔８は、斜め外側向きに開孔されている。案内溝９は、ハウジング部４の軸心（ネジ軸心Ｘ）に沿って延びる凹状に形成されている。
【００２１】
インナー部５には、下地３と係合する開脚部１１と、開脚部１１に対して係合及び係合解除が可能なネジ部１２と、が備えられている。
【００２２】
開脚部１１は、金属製とされている。開脚部１１には、円柱状の本体部１３と、本体部１３の一端部に連設される複数（例えば４つ）の係合部１４と、本体部１３の他端部に連設され、本体部１３よりも縮径された縮径部１５と、縮径部１５に連設され、縮径部１５よりも拡径された拡頭部１６と、案内溝９に係合可能な被案内突起１７と、が備えられている。係合部１４は、案内孔８の数と等しい数形成されている。各係合部１４は、本体部１３の周方向に並べて配置されている。係合部１４は、本体部１３から脚状に延びている。係合部１４における本体部１３と反対側に形成された突端部１８は、鋭角な略三角形状に形成されており、係合部１４の突端部１８が下地３に突き刺さるように係合するようになっている。係合部１４は、本体部１３側から突端部１８に向かうにつれて、ネジ軸心Ｘの外側へ開くように形成されている。つまり、突端部１８をネジ軸心Ｘ側にすぼめるように閉じると、係合部１４自体が、突端部１８がネジ軸心Ｘの外側に向けて開く方向に付勢された状態となる。被案内突起１７は、本体部１３の外周部において本体部１３の長手方向に沿って延びる凸状に形成されている。
【００２３】
ネジ部１２は、金属製とされている。ネジ部１２の外周部には、ハウジング部４の雌ネジ７に螺合可能な雄ネジ１９が形成されている。ネジ部１２には、拡頭部１６を相対回動可能な状態で包み込む凹部２０が形成されている。ネジ部１２に形成された凹部２０は、インナー部５のネジ部１２のネジ軸心Ｘの側方において開放される開放部２１を有しており、凹部２０の側方から開放部２１を通じて開脚部１１の拡頭部１６を挿入可能に構成されている。ネジ部１２には、回動工具Ｔ３（図６参照）を係合させるための例えば断面六角形状の係合穴２２が形成されている。ネジ部１２は、ハウジング部４の内周に螺合するように構成されている。上記開脚部１１は、ネジ部１２に対して相対回動可能に係合可能となっている。
【００２４】
また、アンカーＡには、ハウジング部４と開脚部１１との相対回動を防止する回り止め機構２３が備えられている。回り止め機構２３は、ハウジング部４に形成された案内溝９と、インナー部５の開脚部１１に形成された被案内突起１７と、により構成されている。
ハウジング部４にインナー部５を螺合挿入する際に、被案内突起１７が案内溝９に案内されるようになっている。
【００２５】
〔施工手順について〕
以下、図１〜図７を参照しながら、上記アンカーＡの下地３への設置、及び、防水シート１の下地３側への固定を行うための施工手順を説明する。なお、下地３の表面側には、弾性及び柔軟性を有する断熱材料からなる板状の断熱ボード２４を敷設するようにしている。この断熱ボード２４は、例えば、イソシアネートのフォーム材で形成した無数の独立気泡が内在するものであり、適度な強度と耐熱性と防水性とを備えている。
【００２６】
まず、図２に示されるように、例えばドリル等の穿孔工具Ｔ１を用いて、下地３及び断熱ボード２４を穿孔して、下地３と断熱ボード２４とに亘る有底の設置穴２５を形成する。設置穴２５の内径は、ハウジング部４の外径と同径、または、ハウジング部４の外径よりも若干大きい径とされる。
【００２７】
次に、図３に示されるように、設置穴２５の形成時に生じる穿孔屑を、空気を利用して、例えば、ブロワＴ２で吹き飛ばす等して、設置穴２５の内部から除去する。
【００２８】
次に、図４に示されるように、プラスチックハンマー等の工具（図示なし）で軽く叩く等して、ハウジング部４を下地３の設置穴２５内に嵌入させる。設置穴２５の深さとハウジング部４の全長の長さ関係は、ハウジング部４の開口部１０と断熱ボード２４の表面とが面一となるように設定されている。これにより、ハウジング部４が断熱ボード２４から出っ張らず、且つ、ハウジング部４の内部の雌ネジ７が外部から目視し易くなる。
【００２９】
次に、図５に示されるように、凹部２０に拡頭部１６を嵌め込むことにより一体化させたインナー部５を、ハウジング部４の内部に挿入する。この際、開脚部１１における係合部１４の突端部１８をネジ軸心Ｘ側に閉じながら、インナー部５をハウジング部４の内部に挿入する。この際、ハウジング部４の外周により断熱ボード２４が設置穴２５の中心側に膨らまないように抑えられているので、ハウジング部４に対するインナー部５の挿入を支障なく行うことができる。また、この際、ネジ軸心Ｘ側に閉じられた突端部１８は、ネジ軸心Ｘと略平行となるので、突端部１８が、ハウジング部４の雌ネジ７に引っ掛かりにくくなっている。
【００３０】
次に、図６に示されるように、ネジ部１２の係合穴２２に、六角レンチ等の回動工具Ｔ３を係合させて、回動工具Ｔ３を下地３側に向けて押し込みながら、ネジ部１２の雌ネジ７をハウジング部４の雄ネジ１９に螺進させてゆく。この際、インナー部５のネジ部１２は、ハウジング部４に対して相対回動しながら、下地３の設置穴２５の穴底側に向けて推進する。一方、開脚部１１は、拡頭部１６と凹部２０とが相対回転自在に係合され、回り止め機構２３によるハウジング部４に対する回り止めがなされている。このため、開脚部１１は、ハウジング部４に対して相対回動せずに、ネジ部１２から押圧力のみを受けて、下地３の設置穴２５の穴底側に向けて真っ直ぐに推進する。
【００３１】
また、この際、ハウジング部４には、インナー部５の螺進力に基づく引き抜き力が作用するが、回動工具Ｔ３により、インナー部５のネジ部１２を下地３側に押し込みながら回動させるので、雌ネジ７と雄ネジ１９の螺合箇所においてネジ部１２からハウジング部４に押し込み力が伝達され、引き抜き力でハウジング部４が下地３から引き抜かれることがないようになっている。
【００３２】
そして、ネジ部１２の螺進が進行すると、開脚部１１が設置穴２５の穴底側に移動し、開脚部１１の各係合部１４が、ハウジング部４の各案内孔８に挿通される。さらに、ネジ部１２を螺進させると、係合部１４自体の付勢力、及び、案内孔８による案内により、各係合部１４が外広がりに開脚して、係合部１４の突端部１８が下地３に突き刺さるように係合する。インナー部５は、開脚部１１における係合部１４の突端部１８が、下地３の厚みを貫通しない程度に、ハウジング部４内を螺進される。これにより、アンカーＡが、下地３に固定される。
【００３３】
次に、図７に示されるように、断熱ボード２４の表面側に、金属製の円盤状に形成されたシート固定具２を設置する。シート固定具２は、円板形状の薄い金属板を凹凸のある断面形状にプレス成形することで、軽量でありながら強度の高いものに構成してある。シート固定具２の中央部には、ビス等の金属製のネジ部材からなる締結具２６を挿通する挿通孔２７が形成してある。シート固定具２における挿通孔２７の周りには、締結具２６の拡径頭部２８が納まる座繰り部２９が形成してある。したがって、シート固定具２を締結具２６によりアンカーＡを介して下地３に固定した状態では、拡径頭部２８がシート固定具２の端面よりも下地３から離れる側に突出しないように構成されている。
【００３４】
締結具２６にシート固定具２を挿通した状態で、締結具２６の雄ネジ３０を、ハウジング部４の内周の雌ネジ７に螺合して、ハウジング部４の内部に締結具２６を螺進させる。締結具２６の拡径頭部２８と下地３との間に、固定対象物であるシート固定具２を挟み込んで固定する。
【００３５】
次に、シート固定具２の表面に防水シート１を敷設する。シート固定具２と防水シート１は、接着層（図示なし）を介して接合される。この接着層は、例えば、シート固定具２と防水シート１との間に、熱により溶融するホットメルト剤を介在させて、電磁誘導加熱機器等の加熱装置により、ホットメルト剤を溶融させることにより形成される。これにより、断熱ボード２４を敷設した下地３に、アンカーＡ、シート固定具２を介して、防水シート１を固定できる。
【００３６】
このように、下地３にアンカーＡを固定する工程から、アンカーＡにシート固定具２を固定する工程、シート固定具２に防水シート１を固定する工程に至る全工程において、下地３に影響を与える強い叩き込みを行うことがないので、下地３に割れが生じにくく、しかも、施工音が大きくならないものにできる。
【００３７】
また、防水シート１を交換する場合には、締結具２６の周囲において防水シート１を切り欠いて、ハウジング部４から締結具２６を螺退させ、切り欠いた防水シート１、及び、シート固定具２を除去する。そして、上述の施工手順と同様に、新たなシート固定具２を、締結具２６によりハウジング部４に固定し、そのシート固定具２に新たな防水シート１を固定する。このように、防水シート１の交換に際して、アンカーＡのハウジング部４の再利用が可能となっている。
【００３８】
また、アンカーＡを下地３から撤去する場合には、まず、上述の施工手順と同様に、防水シート１、及び、シート固定具２を除去する。そして、インナー部５におけるネジ部１２の係合穴２２に、回動工具Ｔ３を係合させ、ネジ部１２をハウジング部４に対して螺退させると、ネジ部１２の凹部２０における縮径部１５に入り込んでいる段部が、開脚部１１の拡頭部１６に引っ掛かり、ネジ部１２の螺退とともに開脚部１１の係合部１４が下地３から引き抜かれる（図６の状態から図５の状態となる）。これにより、インナー部５の全体を、下地３側から除去することが可能であるので、アンカーＡの撤去作業を容易に行うことができる。
【００３９】
〔別実施形態〕
以下、本発明の別実施形態について説明する。上記実施形態と下記の各別実施形態とは、矛盾が生じない限り、適宜組み合わせることができる。なお、本発明の範囲は、これら実施形態の内容に限定されるものではない。
【００４０】
（１）上記実施形態では、インナー部５において、開脚部１１に拡径された拡頭部１６が備えられ、ネジ部１２に、拡頭部１６を相対回動可能な状態で包み込む凹部２０が形成されているものが例示されているが、これに限られない。例えば、図８に示されるように、ネジ部１２に拡径された拡頭部１６が備えられ、開脚部１１に、拡頭部１６を相対回動可能な状態で包み込む凹部２０が形成されているインナー部５であってもよい。つまり、開脚部１１及びネジ部１２のうちいずれか一方に、拡径された拡頭部１６が備えられ、開脚部１１及びネジ部１２のうちいずれか他方に、拡頭部１６を相対回動可能な状態で包み込む凹部２０が形成されているとよい。
【００４１】
（２）上記実施形態では、インナー部５に、拡頭部１６と拡頭部１６を包み込む凹部２０とが備えられているものが例示されているが、これに限られない。例えば、インナー部５に、拡頭部１６と凹部２０とが備えられていないものであってもよい。この場合、例えば、ネジ部１２と開脚部１１は、突き合わせ面同士を相対回動可能に突き合わせるように構成されていてもよい。
【００４２】
（３）上記実施形態では、開脚部１１がネジ部１２に対して相対回動可能に係合されるインナー部５が例示されているが、これに限られない。例えば、図９に示されるように、開脚部１１とネジ部１２とが互いに相対回動不能な一体物として構成されていてもよい。このインナー部５には、ネジ１０部側から係合部１４側に向けて固化材を注入可能な注入孔３１が形成されている。また、ハウジング部４の底面は完全に開放されている。そして、開脚部１１の係合部１４は、開脚方向に付勢されている。ネジ部１２をハウジング部４に対して螺進させてゆくと、開脚部１１の係合部１４が回動して下地３を削りながら下地３内を掘り進む。係合部１４が下地３側にある程度入り込むと、貯留部Ｓに貯留される固化材をポンプＰで圧送する等して注入孔３１を通じて、掘削箇所Ｅに供給する。これにより、掘削箇所Ｅが固化され、その掘削箇所Ｅの固化部に開脚部１１の係合部１４が固定されることにより、アンカーＡが下地３に固定される。
【００４３】
（４）上記実施形態では、ハウジング部４の開放部２１が断熱ボード２４の表面と略面一になるように、ハウジング部４の全長の長さが設定されているものが例示されているが、これに限られない。ハウジング部４の開放部２１が断熱ボード２４の表面よりも若干面落ちしていてもよい。また、ハウジング部４の開放部２１が下地３の表面と面一になるように、ハウジング部４の全長の長さが設定されていてもよい。この場合、断熱ボード２４に、ハウジング部４と同芯状の筒部材を挿入しておくと、筒部材により断熱ボード２４が設置穴２５の中心側に膨らむことが抑えられ、ハウジング部４に対する開脚部１１の挿入が行い易くなる。また、下地３上に断熱ボード２４を敷設しないものであってもよい。この場合、ハウジング部４の開放部２１は、下地３の表面と略面一になるように、ハウジング部４の全長の長さが設定される。
【００４４】
（５）上記実施形態では、ハウジング部４の内周に形成される雌ネジ７が、開口部１０からハウジング部４の全長の半分を少し超える箇所に至る長さに形成されているものが例示されているが、これに限られない。例えば、ハウジング部４の開口部１０から一定の距離だけ離れた箇所からハウジング部４の全長の半分を少し超える箇所に至るように雌ネジ７が形成されていてもよい。また、例えば、ハウジング部４の内周においてハウジング部４の全長に亘る長さに雌ネジ７が形成されていてもよい。
【００４５】
（６）上記実施形態では、ハウジング部４を設置穴２５に設置してから、ハウジング部４にインナー部５を螺合挿入するものが例示されているが、これに限られない。例えば、ハウジング部４の内部に完全に隠れるまでインナー部５を予め螺合挿入しておいてから、ハウジング部４とインナー部５とが一体になったものを設置穴２５に設置するようにしてもよい。
【００４６】
（７）上記実施形態では、ネジ部１２に形成された係合穴２２の形状として断面六角形状のものが例示されているが、これに限られない。係合穴２２は、十文字形状、一文字形状、断面四角形状等の他の形状であってもよい。回動工具Ｔ３は、係合穴２２の形状に適合したものが用いられる。
【００４７】
（８）上記実施形態では、外周部が円形状に形成されているハウジング部４が例示されているが、これに限られない。例えば、外周部が円形とは異なる異形状（四角形状、五角形状、六角形状等の多角形状）に形成されている他のハウジング部であってもよい。
【００４８】
（９）上記実施形態では、ハウジング部４をそのまま下地３に嵌入させるものが例示されているがこれに限られない。例えば、ハウジング部４の外周部に、例えば、エポキシ系の合成樹脂で構成してある接着剤を塗布し、下地３の設置穴２５に嵌入させるようにしてもよい。これにより、下地３に対してハウジング部４を強固に保持できる。
【００４９】
（１０）上記実施形態では、ハウジング部４、ネジ部１２、及び、開脚部１１がいずれも金属製とされているものが例示されているが、これに限られない。ハウジング部４、ネジ部１２、及び、開脚部１１のうち少なくとも一つが、例えば、硬質樹脂、セラミック等の他の材料で構成されていてもよい。
【００５０】
（１１）上記実施形態では、４つの係合部１４が備えられている開脚部１１が例示されているが、これに限られない。例えば、１つ〜３つ、または、５つ以上の係合部１４が形成されている他の開脚部であってもよい。
【産業上の利用可能性】
【００５１】
本発明に係るアンカーは、ＡＬＣのパネル材以外の下地、例えば、その他のセメント下地（コンクリート下地を含む）、鉄骨下地、木製下地、石膏下地等にも適用可能であり、また、防水シート用のシート固定具以外にも、アングル材やプレート材等の種々の固定対象物にも適用可能である。
【符号の説明】
【００５２】
２    ：シート固定具（固定対象物）
３    ：下地
４    ：ハウジング部
５    ：インナー部
７    ：雌ネジ
１１  ：開脚部
１２  ：ネジ部
１４  ：係合部
１６  ：拡頭部
２０  ：凹部
２３  ：回り止め機構
２６  ：締結具
Ａ    ：アンカー
Ｘ    ：ネジ軸心（螺進軸心）
【図１】
0006664934.tif 000002
【図２】
0006664934.tif 000003
【図３】
0006664934.tif 000004
【図４】
0006664934.tif 000005
【図５】
0006664934.tif 000006
【図６】
0006664934.tif 000007
【図７】
0006664934.tif 000008
【図８】
0006664934.tif 000009
【図９】
0006664934.tif 000010